【事件の表示】
　特許第３１２７７９２号「ＬＣ共振器およびＬＣフィルタ」の請求項１ないし１０に係る特許に対する特許異議の申立てについて、次のとおり決定する。
【結　論】
　訂正を認める。
　特許第３１２７７９２号の請求項１ないし８に係る特許を維持する。
【理　由】
１．手続の経緯
　特許第３１２７７９２号の請求項１ないし１０に係る発明の手続きの経緯は、以下のとおりである。
　出願　　　　　　　　　　平成７年７月１９日
　設定登録　　　　　　　　平成１２年１１月１０日
　特許異議の申立て　　　　平成１３年７月２日
　　（ティーディーケイ株式会社）
　取消理由通知　　　　　　平成１３年１１月１３日
　意見書、訂正請求書　　　平成１４年１月２５日
　
２．訂正の適否についての判断
（１）訂正の内容
　特許権者が求めている、平成１４年１月２５日付け訂正請求書に添付された訂正明細書における訂正の内容は以下のとおりである。
訂正事項ａ．特許請求の範囲の請求項１を次のとおり訂正する。
「【請求項１】　積層される複数の誘電体層、前記複数の誘電体層を厚み方向に貫通するビアホールによって形成されるインダクタ、および前記複数の誘電体層間に形成されるコンデンサ電極間に形成されるコンデンサ、および前記複数の誘電体層間に形成されるグランド電極を含み、
前記インダクタは１つの直線状に形成されており、かつ、該インダクタは、前記コンデンサ電極および前記グランド電極の主面に直交する方向に設けられ、かつ、該インダクタは、前記グランド電極と直接接続され、
１つの直線状に形成された前記インダクタの両端に前記コンデンサが電気的に並列接続される、ＬＣ共振器。」
訂正事項ｂ．特許請求の範囲の請求項２を次のとおり訂正する。
「【請求項２】　 積層される複数の誘電体層、
前記複数の誘電体層を厚み方向に貫通するビアホールによって形成される複数のインダクタ、および前記複数の誘電体層間に形成されるコンデンサ電極間に形成される複数のコンデンサ、および前記複数の誘電体層間に形成されるグランド電極を含み、
前記複数のインダクタは前記コンデンサ電極および前記グランド電極の主面に直交する方向に設けられ、かつ、前記複数のインダクタは、前記グランド電極と直接接続され、
前記複数のインダクタおよび前記複数のコンデンサはそれぞれ電気的に並列接続され、前記複数のインダクタおよび前記複数のコンデンサによって複数のＬＣ共振器が構成され、該ＬＣ共振器を構成するインダクタは、直線状に形成された１つのインダクタによって構成されており、前記複数のＬＣ共振器の前記複数のインダクタが電磁結合される、ＬＣフィルタ。」
訂正事項ｃ．特許請求の範囲の請求項４を次のとおり訂正する。
「【請求項４】　 電気的に並列接続された前記インダクタおよび前記コンデンサは、前記複数の誘電体層の厚み方向において互いに異なった位置に形成される、請求項１に記載のＬＣ共振器または請求項２〜３のいずれかに記載のＬＣフィルタ。」
訂正事項ｄ．特許請求の範囲の請求項７を削除する。
訂正事項ｅ．特許請求の範囲の請求項８を削除する。
訂正事項ｆ．特許請求の範囲の請求項９を次のとおり訂正する。
「【請求項７】　 前記インダクタは直線状に形成され、前記インダクタの磁力線は前記インダクタの軸を周回する方向に発生し、その磁力線と平行に前記コンデンサ電極が配置される、請求項１に記載のＬＣ共振器または請求項２〜６のいずれかに記載のＬＣフィルタ。」
訂正事項ｇ．特許請求の範囲の請求項１０を次のとおり訂正する。
「【請求項８】　 前記インダクタは、内蔵されるすべての電極の主面に対して直交するように配置される、請求項１に記載のＬＣ共振器または請求項２〜７のいずれかに記載のＬＣフィルタ。」
訂正事項ｈ．明細書中の【０００８】を次の通り訂正する。
「【０００８】
　　【課題を解決するための手段】
　この発明にかかるＬＣ共振器は、積層される複数の誘電体層、複数の誘電体層を厚み方向に貫通するビアホールによって形成されるインダクタと、複数の誘電体層間に形成されるコンデンサ電極間に形成されるコンデンサと、複数の誘電体層間に形成されるグランド電極を含み、インダクタは１つの直線状に形成されており、かつ、インダクタは、コンデンサ電極およびグランド電極の主面に直交する方向に設けられ、かつ、インダクタは、グランド電極と直接接続され、１つの直線状に形成されたインダクタの両端にコンデンサが電気的に並列接続される、ＬＣ共振器である。また、発明にかかるＬＣフィルタは、積層される複数の誘電体層と、複数の誘電体層を厚み方向に貫通するビアホールによって形成される複数のインダクタと、複数の誘電体層間に形成されるコンデンサ電極間に形成される複数のコンデンサと、および複数の誘電体層間に形成されるグランド電極とを含み、複数のインダクタはコンデンサ電極およびグランド電極の主面に直交する方向に設けられ、かつ、複数のインダクタは、グランド電極と直接接続され、複数のインダクタおよび複数のコンデンサはそれぞれ電気的に並列接続され、複数のインダクタおよび複数のコンデンサによって複数のＬＣ共振器が構成され、ＬＣ共振器を構成するインダクタは、直線状に形成された１つのインダクタによって構成されており、複数のＬＣ共振器の複数のインダクタが電磁結合される、バンドパスフィルタなどのＬＣフィルタである。」
訂正事項ｉ．明細書中の【０００９】を次の通り訂正する。
「【０００９】
　なお、この発明にかかるＬＣ共振器およびＬＣフィルタでは、電気的に並列接続されたインダクタおよびコンデンサは、複数の誘電体層の厚み方向において互いに異なった位置に形成されてもよい。また、この発明にかかるＬＣ共振器およびＬＣフィルタでは、コンデンサ電極は複数の誘電体層の厚み方向においてインダクタが形成される誘電体層の層間に形成されてもよい。さらに、この発明にかかるＬＣ共振器およびＬＣフィルタでは、複数の誘電体層間のうちの一番外側の層間にグランド電極が形成されてもよい。」
訂正事項ｊ．明細書中の【００１０】を次の通り訂正する。
「【００１０】
　さらに、この発明にかかるＬＣ共振器およびＬＣフィルタでは、たとえば、インダクタは直線状に形成され、インダクタの磁力線はインダクタの軸を周回する方向に発生し、その磁力線と平行にコンデンサ電極が配置される。また、この発明にかかるＬＣ共振器およびＬＣフィルタでは、たとえば、インダクタは、内蔵されるすべての電極の主面に対して直交するように配置される。」
訂正事項ｋ．明細書中の【００２８】を次の通り訂正する。
「【００２８】
　図２は第１の参考例を示す図解図であり、図３はその要部を示す図解図である。図２および図３に示す第１の参考例では、図１に示す発明の実施の形態と比べて、特に、各インダクタ素子が２つのビアホールによって形成される。」
訂正事項ｌ．明細書中の【００２９】を次の通り訂正する。
「【００２９】
　すなわち、図２および図３に示す第１の参考例では、図１に示す発明の実施の形態と比べて、４番目の誘電体層１４，１４間に、２つの共通電極１８ａ２および１８ｂ２がそれぞれ小さく形成され、１番上の誘電体層１４，１４間に、２つの接続電極２６ａおよび２６ｂが間隔を隔てて形成される。なお、これらの接続電極２６ａおよび２６ｂは、それぞれの一部分が誘電体層１４の端部にまで延びて形成される必要はなく、それぞれの端部が積層体１２の側面から露出されなくてもよい。また、共通電極１８ａ２および１８ｂ２と接続電極２６ａおよび２６ｂとの間において、複数の誘電体層１４，１４，・・には、それらを厚み方向に貫通する円柱状の２つのビアホール２２ａ１および２２ｂ１が形成される。さらに、グランド電極２０ａと接続電極２６ａおよび２６ｂとの間において、複数の誘電体層１４，１４，・・には、それらを厚み方向に貫通する円柱状の２つのビアホール２２ａ２および２２ｂ２が形成される。それらのビアホール２２ａ１，２２ｂ１，２２ａ２および２２ｂ２はインダクタ素子として働く。なお、ビアホール２２ａ２および２２ｂ２は、互いに電磁結合される。」
訂正事項ｍ．明細書中の【００３０】を次の通り訂正する。
「【００３０】
　また、図２および図３に示す第１の参考例では、図１に示す発明の実施の形態と同様に、入出力端子Ｔ１，Ｔ２、接続端子およびグランド端子Ｇとして用いられる多数の外部電極（図示せず）が積層体１２の側面に形成されるが、特に、グランド端子Ｇとして用いられる外部電極は、グランド電極２０ａのみに接続される。」
訂正事項ｎ．明細書中の【００３１】を次の通り訂正する。
「【００３１】
　さらに、図２および図３に示す第１の参考例では、図１に示す発明の実施の形態と同様に各コンデンサＣ１，Ｃ２，Ｃ３およびＣ４が形成されるが、接続電極２６ａで接続されたビアホール２２ａ１および２２ａ２で一方のＬＣ共振器Ｒ１のインダクタＬ１が形成され、接続電極２６ｂで接続されたビアホール２２ｂ１および２２ｂ２で他方のＬＣ共振器Ｒ２のインダクタＬ２が形成される。」
訂正事項ｏ．明細書中の【００３３】を次の通り訂正する。
「【００３３】
　図２および図３に示す第１の参考例でも、図１に示す発明の実施の形態と同様に、図８に示す従来例と比べて、インダクタの断面積が増えるため、Ｑが大きくなり、全体が大型にならない。」
訂正事項ｐ．明細書中の【００３４】を次の通り訂正する。
「【００３４】
　また、図２および図３に示す第１の参考例では、積層される複数の誘電体層を厚み方向に貫通する２つのビアホールによって１つのインダクタ素子が形成されているので、１つのインダクタ素子としての導体の長さが長くなる。そのため、導体の長さを少しくらい変えてもインダクタンス値があまり変わらなくなるので、インダクタンス値が調整しやすくなる。」
訂正事項ｑ．明細書中の【００３５】を次の通り訂正する。
「【００３５】　
　図４は図２および図３に示す第１の参考例の変形例である第２の参考例の要部を示す図解図である。図４に示す第２の参考例では、図２および図３に示す第１の参考例と比べて、特に、４つのビアホール２２ａ１，２２ｂ１，２２ａ２および２２ｂ２が、２行２列に接近して形成される。さらに、ビアホール２２ａ１および２２ｂ１の一端が接続される共通電極１８ａ２および１８ｂ２は、ビアホール２２ａ１および２２ｂ１に対応した位置に形成される。したがって、図４に示す第２の参考例では、図２および図３に示す第１の参考例と比べて、インダクタＬ１およびＬ２の電磁結合の強度が大きくなる。」
訂正事項ｒ．明細書中の【００３６】を次の通り訂正する。
「【００３６】
　図５はこの発明の実施の形態の他の実施例を示す図解図である。図５に示すＬＣフィルタ１０も、多数のセラミック層からなる多数の誘電体層１４，１４，１４・・・などを積層することによって形成される直方体状の多層基板ないし積層体１２を含む。」
訂正事項ｓ．明細書中の【００４８】を次の通り訂正する。
「【００４８】
　図５に示す発明の実施の形態でも、図１に示す発明の実施の形態と同様に、図８に示す従来例と比べて、インダクタの断面積が増えるため、Ｑが大きくなり、全体が大型にならない。」
訂正事項ｔ．明細書中の【００５３】を次の通り訂正する。
「【００５３】
　また、上述の発明の実施の形態の各例では、１つのインダクタ素子が１つのビアホールに形成される。」
訂正事項ｕ．明細書中の【００５５】を次の通り訂正する。
「【００５５】
　なお、この発明は、２つのＬＣ共振器などを内蔵するＬＣフィルタ以外に、１つのインダクタ素子および１つのコンデンサを内蔵するＬＣ共振器にも適用され得る。」
訂正事項ｖ．【図面の簡単な説明】を次のとおり訂正する。
「【図面の簡単な説明】
【図１】　この発明の実施の形態の一例を示す図解図である。
【図２】　この発明の第１の参考例を示す図解図である。
【図３】　図２に示す第１の参考例の要部を示す図解図である。
【図４】　図２および図３に示す第１の参考例の変形例である第２の参考例の要部を示す図解図である。
【図５】　この発明の実施の形態の他の実施例を示す図解図である。
【図６】　図５に示す発明の実施の形態においてビアホールによって発生する磁力線とコンデンサ電極および共通電極などの電極との関係を示す図解図である。
【図７】　この発明の背景となりかつこの発明が適用されるＬＣフィルタの一例を示す等価回路図である。
【図８】　図７に示す等価回路を有する従来のＬＣフィルタの一例の要部を示す分解斜視図である。
【図９】　図８に示すＬＣフィルタにおいてパターン電極によって発生する磁力線とコンデンサ電極との関係を示す図解図である。
【符号の説明】
１０ ＬＣフィルタ
１２ 積層体
１４ 誘電体層
１６ａ，１６ｂ コンデンサ電極
１８ａ１，１８ａ２，１８ａ３，１８ｂ１，１８ｂ２，１８ｂ３ 共通電極
２０ａ，２０ｂ グランド電極
２２ａ，２２ａ１，２２ａ２，２２ｂ，２２ｂ１，２２ｂ２ ビアホール
２６ａ，２６ｂ 接続電極
Ｒ１，Ｒ２ ＬＣ共振器
Ｌ１，Ｌ２ インダクタ
Ｃ１，Ｃ２，Ｃ３，Ｃ４ コンデンサ
Ｔ１，Ｔ２ 入出力端子
Ｇ アース端子」
（２）訂正の目的の適否、新規事項の有無及び拡張・変更の存否
ア．訂正事項ａについて
　訂正後の請求項１は、特許明細書の特許請求の範囲の請求項１に記載された発明において、さらに「前記複数の誘電体層間に形成されるグランド電極」を追加することにより、限定を図るものである。また、「前記インダクタは前記コンデンサ電極の主面に直交する方向に設けられ、」の部分を「前記インダクタは１つの直線状に形成されており、かつ、該インダクタは、前記コンデンサ電極および前記グランド電極の主面に直交する方向に設けられ、かつ、該インダクタは、前記グランド電極と直接接続され、」と訂正することにより、限定を図るものである。また、「前記インダクタおよび前記コンデンサは並列接続される、」の部分を、「１つの直線状に形成された前記インダクタの両端に前記コンデンサが電気的に並列接続される、」と訂正することにより、限定を図るものである。
　そして、訂正したこれらの構成は、請求項９、【００１０】欄、【００２２】欄、【００２４】〜【００２６】欄、【００４２】欄、【００４３】欄、【００４５】欄〜【００４７】欄、【００５３】欄、および図１、図５、図７などに記載されていたものである。
　したがって、上記訂正は、特許請求の範囲の減縮に該当するものである。
イ．訂正事項ｂについて
　訂正後の請求項２は、特許明細書の特許請求の範囲の請求項２に記載された発明において、さらに「前記複数の誘電体層間に形成されるグランド電極」を追加することにより、限定を図るものである。また、「前記インダクタは前記コンデンサ電極の主面に直交する方向に設けられ、」の部分を、「前記複数のインダクタは前記コンデンサ電極および前記グランド電極の主面に直交する方向に設けられ、かつ、前記複数のインダクタは、前記グランド電極と直接接続され、」と訂正を行うことにより、限定を図るものである。また、「該ＬＣ共振器を構成するインダクタは、直線状に形成された１つのインダクタによって構成されており、」と追加する訂正を行うことにより、限定を図るものである。また、「前記複数のインダクタおよび前記複数のコンデンサはそれぞれ並列接続され、」の部分を、「前記複数のインダクタおよび前記複数のコンデンサはそれぞれ電気的に並列接続され、」と訂正することにより、限定を図るものである。
　そして、訂正したこれらの構成は、請求項９、【００１０】欄、【００２２】欄、【００２４】〜【００２６】欄、【００４２】欄、【００４３】欄、【００４５】欄〜【００４７】欄、【００５３】欄、および図１、図５、図７などに記載されていたものである。
　したがって、上記訂正は、特許請求の範囲の減縮に該当するものである。
ウ．訂正事項ｃについて
　訂正後の請求項４は、特許明細書の特許請求の範囲の請求項４に記載された発明において、「前記インダクタおよび前記コンデンサは、」の部分を「電気的に並列接続された前記インダクタおよび前記コンデンサは、」と訂正することにより、限定を図るものである。
　そして、訂正した構成は、明細書の【００２４】〜【００２６】欄、【００４５】欄〜【００４７】欄、および図１、図５、図７などに記載されていたものである。
　したがって、上記訂正は、特許請求の範囲の減縮に該当するものである。
エ．訂正事項ｄ、ｅについて
　訂正事項ｄ、ｅについては、特許請求の範囲の請求項７および請求項８を削除するものである。
　したがって、上記訂正は、特許請求の範囲の減縮に該当するものである。
オ．訂正事項ｆについて
　訂正事項ｆについては、特許請求の範囲の請求項９の引用請求項を「請求項１に記載のＬＣ共振器または請求項２〜８のいずれかに記載のＬＣフィルタ」から、「請求項１に記載のＬＣ共振器または請求項２〜６のいずれかに記載のＬＣフィルタ」に訂正するものである。なお、請求項７および請求項８を削除しているので、特許時の請求項９から繰り上がり、請求項７になっている。
　したがって、上記訂正は、特許請求の範囲の減縮に該当するものである。
カ．訂正事項ｇについて
　訂正事項ｇについては、特許請求の範囲の請求項１０の引用請求項を「請求項１に記載のＬＣ共振器または請求項２〜９のいずれかに記載のＬＣフィルタ」から、「請求項１に記載のＬＣ共振器または請求項２〜７のいずれかに記載のＬＣフィルタ」に訂正するものである。なお、請求項７および請求項８を削除しているので、特許時の請求項１０から繰り上がり、請求項８になっている。
　したがって、上記訂正は、特許請求の範囲の減縮に該当するものである。
キ．訂正事項ｈ〜ｊについて
　特許請求の範囲の訂正と整合性を持たせて明瞭にするためのものであり、特許請求の範囲における訂正と同様の訂正を行っている。
ク．訂正事項ｋ〜ｐについて
　訂正後の特許請求の範囲では、図２〜図４にかかる実施の形態を発明の範囲外にしている。訂正事項ｋ〜ｐは、図２、図３にかかる実施の形態を「発明の実施の形態」から「第１の参考例」と訂正し、発明の範囲外であることを明確にするものである。
ケ．訂正事項ｑについて
　訂正後の特許請求の範囲では、図２〜図４にかかる実施の形態を発明の範囲外にしている。訂正事項ｑは、図２、図３にかかる実施の形態を「発明の実施の形態」から「第１の参考例」と訂正し、発明の範囲外であることを明確にするものである。また、図４にかかる実施の形態を「発明の実施の形態」から「第２の参考例」と訂正し、発明の範囲外であることを明確にするものである。
コ．訂正事項ｒについて
　訂正後の特許請求の範囲では、図２〜図４にかかる実施の形態を発明の範囲外にしているため、訂正前の【００３６】欄の「図５はこの発明の実施の形態のさらに他の例を示す図解図である。」の文言が不明瞭となっている。したがって、当該記載を「図５はこの発明の実施の形態の他の実施例を示す図解図である。」に訂正するものである。
サ．訂正事項ｓについて
　訂正後の特許請求の範囲では、図２〜図４にかかる実施の形態を発明の範囲外にしているため、訂正前の【００４８】欄の「図１〜図４に示す発明の実施の形態」を「図１に示す発明の実施の形態」と訂正するものである。
シ．訂正事項ｔについて
　訂正後の特許請求の範囲では、図２〜図４にかかる実施の形態を発明の範囲外にしているため、訂正前の【００５３】欄の「また、上述の発明の実施の形態の各例では、１つのインダクタ素子が１つのビアホールに形成されあるいは２つのビアホールにわたって形成されているが、この発明では、１つのインダクタ素子が３つ以上のビアホールにわたって形成されてもよい。」という記載が、適切ではないものになっている。
　したがって、上記記載を「また、上述の発明の実施の形態の各例では、１つのインダクタ素子が１つのビアホールに形成される。」に訂正するものである。
ス．訂正事項ｕについて
　「インダクタタ素子」の記載が、本件発明の特許明細書および図面の全体から明らかな誤記である。すなわち、当該記載は、例えば明細書の【００２２】欄や【００３４】欄の記載より明らかな誤記である。そして、これらと同様の記載である「インダクタ素子」に訂正するものである。
　したがって、この訂正は、誤記の訂正に該当するものである。
セ．訂正事項ｖについて
　訂正後の特許請求の範囲では、図２〜図４にかかる実施の形態を発明の範囲外にしているため、【図面の簡単な説明】欄でも上記訂正事項ｋ〜ｓと同様の訂正を行っている。
　以上のア．〜セ．をまとめると、上記訂正事項ａ〜ｇは、特許請求の範囲の減縮を目的とした明細書の訂正に該当し、上記訂正事項ｈ〜ｔ、ｖは、訂正された特許請求の範囲の記載との整合を図るためのものであり、明瞭でない記載の釈明を目的とするものであり、上記訂正事項ｕは、誤記の訂正を目的とするものである。
　そして、いずれも、願書に添付した明細書又は図面に記載した事項の範囲内であり、新規事項の追加に該当せず、実質的に特許請求の範囲を拡張し、変更するものではない。
（３）むすび
　以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年法律第１１６号による改正前の特許法第１２６条第１項ただし書、第２項及び第３項の規定に適合するので、当該訂正を認める。
　
３．特許異議の申立てについて
（１）申立の理由及び取消理由通知の概要
ア．申立の理由の概要
　特許異議申立人は、証拠として甲第１号証（特開平３−２７４８１４号公報）、甲第２号証（特開平５−３３５８６６号公報）、甲第３号証（実願平４−６３６９５号（実開平６−２９１２８号）のＣＤ−ＲＯＭ）を提出し、本件特許の特許請求の範囲請求項１乃至１０の発明は、本件出願前国内において頒布された甲第１乃至３号証に記載された発明と同一又は少なくともこれに基づいて容易に発明することができたものであるから、特許法第２９条第１項第３号または同条第２項の規定に該当し、同法第１１３条第１項第２号の規定により取り消されるべきである旨主張している。
イ．取消理由通知の概要
　本件請求項１ないし１０に係る発明は、刊行物１（特開平３−２７４８１４号公報（申立人の提出した甲第１号証））、刊行物２（特開平５−３３５８６６号公報（申立人の提出した甲第２号証））、又は刊行物３（実願平４−６３６９５号（実開平６−２９１２８号）のＣＤ−ＲＯＭ（申立人の提出した甲第３号証））に記載された発明であるので、特許法第２９条第１項第３号に規定する発明に該当し、また、本件請求項１ないし１０に係る発明は、刊行物１（特開平３−２７４８１４号公報号公報（申立人の提出した甲第１号証））、刊行物２（特開平５−３３５８６６号公報（申立人の提出した甲第２号証））、及び刊行物３（実願平４−６３６９５号（実開平６−２９１２８号）のＣＤ−ＲＯＭ（申立人の提出した甲第３号証））に記載された発明に基づいて当業者が容易に発明をすることができたものであるので、特許法第２９条第２項の規定により特許を受けることができないものであるから、本件請求項１ないし１０に係る発明の特許は取り消されるべきである。
（２）本件請求項１ないし８に係る発明
　上記２．で示したように上記訂正が認められるから、本件請求項１ないし８に係る発明は、上記訂正請求に係る訂正明細書の特許請求の範囲の請求項１ないし８に記載された次のとおりのものである。
「【請求項１】　積層される複数の誘電体層、前記複数の誘電体層を厚み方向に貫通するビアホールによって形成されるインダクタ、および前記複数の誘電体層間に形成されるコンデンサ電極間に形成されるコンデンサ、および前記複数の誘電体層間に形成されるグランド電極を含み、
前記インダクタは１つの直線状に形成されており、かつ、該インダクタは、前記コンデンサ電極および前記グランド電極の主面に直交する方向に設けられ、かつ、該インダクタは、前記グランド電極と直接接続され、
１つの直線状に形成された前記インダクタの両端に前記コンデンサが電気的に並列接続される、ＬＣ共振器。
　【請求項２】　 積層される複数の誘電体層、
前記複数の誘電体層を厚み方向に貫通するビアホールによって形成される複数のインダクタ、および前記複数の誘電体層間に形成されるコンデンサ電極間に形成される複数のコンデンサ、および前記複数の誘電体層間に形成されるグランド電極を含み、
前記複数のインダクタは前記コンデンサ電極および前記グランド電極の主面に直交する方向に設けられ、かつ、前記複数のインダクタは、前記グランド電極と直接接続され、
前記複数のインダクタおよび前記複数のコンデンサはそれぞれ電気的に並列接続され、前記複数のインダクタおよび前記複数のコンデンサによって複数のＬＣ共振器が構成され、該ＬＣ共振器を構成するインダクタは、直線状に形成された１つのインダクタによって構成されており、前記複数のＬＣ共振器の前記複数のインダクタが電磁結合される、ＬＣフィルタ。
　【請求項３】　 バンドパスフィルタである、請求項２に記載のＬＣフィルタ。
　【請求項４】　 電気的に並列接続された前記インダクタおよび前記コンデンサは、前記複数の誘電体層の厚み方向において互いに異なった位置に形成される、請求項１に記載のＬＣ共振器または請求項２〜３のいずれかに記載のＬＣフィルタ。
　【請求項５】　 前記コンデンサ電極は前記複数の誘電体層の厚み方向において前記インダクタが形成される前記誘電体層の層間に形成される、請求項１に記載のＬＣ共振器または請求項２〜３のいずれかに記載のＬＣフィルタ。
　【請求項６】　 前記複数の誘電体層間のうちの一番外側の層間にグランド電極が形成される、請求項１に記載のＬＣ共振器または請求項２〜５のいずれかに記載のＬＣフィルタ。
　【請求項７】　 前記インダクタは直線状に形成され、前記インダクタの磁力線は前記インダクタの軸を周回する方向に発生し、その磁力線と平行に前記コンデンサ電極が配置される、請求項１に記載のＬＣ共振器または請求項２〜６のいずれかに記載のＬＣフィルタ。
　【請求項８】　 前記インダクタは、内蔵されるすべての電極の主面に対して直交するように配置される、請求項１に記載のＬＣ共振器または請求項２〜７のいずれかに記載のＬＣフィルタ。」
（３）引用刊行物に記載された発明
　当審で通知した取消理由で引用した刊行物１（特開平３−２７４８１４号公報（申立人の提出した甲第１号証））には、「本発明は、セラミックシートを積層し、その内部にＬＣ共振回路を構成する導体パターンを形成した積層型共振子とそれを用いたフィルタに関するものである。」（第１頁右下欄第１９行〜第２頁左上欄第２行）こと、「対向する二枚の第一の導体パターンがコンデンサを構成し、スルーホールに充填された導体材料と第二の導体パターンによってインダクタが構成される。
　二つのインダクタを近接させることによって、誘導性の結合を生じさせてフィルタ特性を得ることができる。」（第２頁左下欄第６〜１２行）こと、「第１図は、本発明による積層型共振子の内部の導体を示す斜視図である。導体は端部を除いてセラミック積層体内部に形成される。・・・この例では、第一の導体パターン１１ａ、１１ｂはセラミックシートを挟んで一部が対向するように形成されている。一方の第一の導体パターン１１ａの端部は積層体の側面に端子部として露出するように形成される。もう一方の第一の導体パターン１１ｂは内部に完全に埋め込まれる。第一の導体パターン１１から積層方向に間隔を置いて、第二の導体パターン１２が平行に形成されている。この導体パターン１２の一端も端子部として積層体の端面に引き出されるが、第一の導体パターン１１ａの引き出される端面と反対の端面に引き出すとよい。
　第一の導体パターン１１ａと第二の導体パターン１２の積層体内部に位置する端部とが接続される。接続は、セラミックグリーンシートを積層する際に二つの導体パターン間にスルーホールをパンチング等によって形成し、その中に導体材料ペーストを充填する方法で行う。
　これによって、第２図に示したように、コンデンサ２６とインダクタ２７が直列に形成され、それらと並列にインダクタ２８が形成された、ＬＣ並列共振回路が得られる。
　コンデンサの容量は第一の導体パターンの対向面積を変化させて調節することができる。また、インダクタは、スルーホールの長さと第二の導体パターンの寸法によって調整することができる。」（第２頁左下欄第１６行〜第３頁左上欄第８行）こと、「この例では、第２図の等価回路図に示した構造となっているが、第一の導体パターンの両方を積層体の端面に引き出すようにしてもよい。そうすれば、完全なＬＣ並列共振回路が得られる。」（第３頁左上欄第１４〜１７行）こと、「第３図は、前記の共振子を二個同じ積層体内に形成したフィルタの例を示す斜視図である。」（第３頁右上欄第６〜７行）こと、「これによって、第４図に示したように、コンデンサ４６とインダクタ４７が並列に形成され、ＬＣ並列共振回路が得られる。またコンデンサ５６とインダクタ５７が並列に形成され、ＬＣ共振回路が得られる。これらは、近接して配置されているので、誘導性の結合を生じる。この場合には正の誘導結合が生じる。
　第５図は、第３図に対して一方の共振素子の導体パターンが上下反対となった構造を示したものである。第一の導体パターン５１ａ、５１ｂともう一方の第一の導体パターン６１ａ、６１ｂは反対面側に形成されている。同様に、導体パターン５２と導体パターン６２も位置関係が逆となっている。」（第３頁左下欄第６〜１８行）ことが、第１図〜第６図と共に記載されている。
　同刊行物２（特開平５−３３５８６６号公報（申立人の提出した甲第２号証））には、「高周波フィルタ」（発明の名称）に関し、「【００２０】
　　【課題を解決するための手段】本発明は上記の課題を解決するため、次のように構成した。
（１）少なくとも、ＧＮＤ電極を有するコンデンサを、多層基板に内蔵した高周波フィルタであって、前記コンデンサのＧＮＤ側電極を構成するＧＮＤ電極パターンを、多層基板の外側の層に設けると共に、他の素子を、前記ＧＮＤ電極パターンよりも内側の層に設け、前記ＧＮＤ電極パターンでシールドした。
【００２１】
（２）前記ＧＮＤ電極パターンを、多層基板の外側にある片側の層に設け、多層基板の片側をシールドした。
（３）前記ＧＮＤ電極パターンを、多層基板の外側にある両側の層に設け、多層基板の両側をシールドした。」（第３欄第２０〜３３行）こと、「【００２７】
　更に、１１〜１４はコンデンサ電極パターン、１５、１６はコイルパターン、１７はＧＮＤ電極パターンを示す。第１実施例は、多層基板の片側に、ＧＮＤ電位を有するコンデンサを配置した例であり、高周波フィルタの回路は、図５Ａに示した従来例（ローパスフィルタ）と同じである。」（第４欄第１１〜１６行）ことが、図１〜図４と共に記載されている。
　同刊行物３（実願平４−６３６９５号（実開平６−２９１２８号）のＣＤ−ＲＯＭ（申立人の提出した甲第３号証））には、「【０００２】
　【従来の技術と課題】
　従来より、磁性体層とコイル用導体層を積層してなるコイル部と、誘電体層とコンデンサ用導体層を積層してなるコンデンサ部とを積み重ねた構造のＬＣ複合部品が知られている。このＬＣ複合部品はコイル部とコンデンサ部が接近しているため、コイル部で発生する磁束がコンデンサ部のコンデンサ用導体層と交叉する。この結果、コンデンサ用導体層に渦電流が生じ、ＬＣ複合部品自体の等価直列抵抗が大きくなり、高周波挿入損失特性が劣化するという問題があった。また、コンデンサ用導体層に誘導起電力が生じ、グランドラインに大きなノイズが生じるという問題があった。」（明細書【０００２】段落）ことが、記載されている。
（４）対比・判断
ア．本件請求項１に係る発明について
　本件請求項１に係る発明と上記刊行物１に記載の発明とを対比すると、上記刊行物１に記載のスルーホールは本件請求項１に係る発明のビアホールに相当し、上記刊行物１に記載の第一の導体パターンは本件請求項１に係る発明のコンデンサ電極に相当するので、両者は、「積層される複数の誘電体層、前記複数の誘電体層を厚み方向に貫通するビアホールによって形成されるインダクタ、および前記複数の誘電体層間に形成されるコンデンサ電極間に形成されるコンデンサを含み、
該インダクタは、前記コンデンサ電極の主面に直交する方向に設けられている、ＬＣ共振器。」の点で一致しているが、本件請求項１に係る発明が、インダクタは１つの直線状に形成されており、前記インダクタは、複数の誘電体層間に形成されるグランド電極と直接接続されているのに対して、上記刊行物１に記載のものは、インダクタはスルーホールに充填された導体材料と第二の導体パターンにより構成されており、図面を参照すると、スルーホールに充填された導体材料は２つの直線状の部分からなり第二の導体パターンと共にＵ字状に形成されており、また、接地の記載はあるものの複数の誘電体層間に形成されるグランド電極を有していない点で相違している。
　この相違点について、上記刊行物２及び３の記載を検討する。
　上記刊行物２には、高周波フィルタとしてコンデンサとコイル（本件のインダクタに相当）を多層基板に内蔵しており、コンデンサのＧＮＤ側電極を構成するＧＮＤ電極パターンを設けたものが記載されている。なお、ＧＮＤ電極とは本件の用語でいえば、グランド電極のことである。
　しかしながら、上記刊行物２に記載のものは、上記したようにグランド電極は有するものの、インダクタは、複数の誘電体層間に形成されるグランド電極と直接接続されておらず、また、インダクタは１つの直線状に形成されているものでもない。
　また、上記刊行物３には、ＬＣ複合部品において、コイル部（本件のインダクタに相当）とコンデンサ部が接近していると、コイル部で発生する磁束がコンデンサ部のコンデンサ用導体層と交叉し、コンデンサ用導体層に渦電流が生じるという問題があった旨の記載はあるが、インダクタが１つの直線状に形成されているものではなく、また、複数の誘電体層間に形成されるグランド電極を有していない。
　してみると、上記刊行物２及び３には、上記相違点に係る構成要件である「インダクタは１つの直線状に形成されており、前記インダクタは、複数の誘電体層間に形成されるグランド電極と直接接続されている」点は、記載も示唆もない。
　そして、かかる点により、本件請求項１に係る発明は、小型でＱの高いＬＣ共振器が得られるという明細書記載の顕著な作用効果を奏するものである。
　したがって、本件請求項１に係る発明は、上記刊行物１、２又は３に記載された発明であるとはいえず、また、上記刊行物１〜３に記載された発明に基づいて当業者が容易に発明をすることができたものともいえない。
イ．本件請求項２に係る発明について
　本件請求項２に係る発明と上記刊行物１に記載の発明とを対比すると、上記刊行物１に記載のスルーホールは本件請求項１に係る発明のビアホールに相当し、上記刊行物１に記載の第一の導体パターンは本件請求項１に係る発明のコンデンサ電極に相当するので、両者は、「積層される複数の誘電体層、
前記複数の誘電体層を厚み方向に貫通するビアホールによって形成される複数のインダクタ、および前記複数の誘電体層間に形成されるコンデンサ電極間に形成される複数のコンデンサを含み、
前記複数のインダクタは前記コンデンサ電極および前記グランド電極の主面に直交する方向に設けられ、
前記複数のインダクタおよび前記複数のコンデンサはそれぞれ電気的に並列接続され、前記複数のインダクタおよび前記複数のコンデンサによって複数のＬＣ共振器が構成され、前記複数のＬＣ共振器の前記複数のインダクタが電磁結合される、ＬＣフィルタ。」の点で一致しているが、本件請求項２に係る発明が、複数のインダクタは、複数の誘電体層間に形成されるグランド電極と直接接続され、また、ＬＣ共振器を構成するインダクタは、直線状に形成された１つのインダクタによって構成されているのに対して、上記刊行物１に記載のものは、接地の記載はあるものの複数の誘電体層間に形成されるグランド電極を有しておらず、また、ＬＣ共振器を構成するインダクタはスルーホールに充填された導体材料と第二の導体パターンにより構成されており、図面を参照すると、スルーホールに充填された導体材料は２つの直線状の部分からなり第二の導体パターンと共にＵ字状に形成されている点で相違している。
　この相違点について、上記刊行物２及び３の記載を検討する。
　上記刊行物２には、高周波フィルタとしてコンデンサとコイル（本件のインダクタに相当）を多層基板に内蔵しており、コンデンサのＧＮＤ側電極を構成するＧＮＤ電極パターンを設けたものが記載されている。なお、ＧＮＤ電極とは本件の用語でいえば、グランド電極のことである。
　しかしながら、上記刊行物２に記載のものは、上記したようにグランド電極は有するものの、インダクタを複数有するものではなく、このインダクタは複数の誘電体層間に形成されるグランド電極と直接接続されておらず、また、ＬＣ共振器を構成するインダクタは１つの直線状に形成されているものでもない。
　また、上記刊行物３には、ＬＣ複合部品において、コイル部（本件のインダクタに相当）とコンデンサ部が接近していると、コイル部で発生する磁束がコンデンサ部のコンデンサ用導体層と交叉し、コンデンサ用導体層に渦電流が生じるという問題があった旨の記載はあるが、複数の誘電体層間に形成されるグランド電極を有しているものではなく、また、インダクタが１つの直線状に形成されているものでもない。
　してみると、上記刊行物２及び３には、上記相違点に係る構成要件である「複数のインダクタは、複数の誘電体層間に形成されるグランド電極と直接接続され、また、ＬＣ共振器を構成するインダクタは、直線状に形成された１つのインダクタによって構成されている」点は、記載も示唆もない。
　そして、かかる点により、本件請求項２に係る発明は、小型でＱの高いＬＣフィルタが得られるという明細書記載の顕著な作用効果を奏するものである。
　したがって、本件請求項２に係る発明は、上記刊行物１、２又は３に記載された発明であるとはいえず、また、上記刊行物１〜３に記載された発明に基づいて当業者が容易に発明をすることができたものともいえない。
ウ．本件請求項３ないし８に係る発明について
　本件請求項３ないし８に係る発明は、本件請求項１又は２に係る発明を引用し、さらに限定した発明であるので、上記ア．、イ．と同様な理由により、上記刊行物１、２又は３に記載された発明であるとはいえず、また、上記刊行物１〜３に記載された発明に基づいて当業者が容易に発明をすることができたものともいえない。
（５）むすび
　以上のとおりであるから、特許異議申立ての理由及び証拠によっては、本件請求項１ないし８に係る発明の特許を取り消すことができない。
　そして、他に本件請求項１ないし８に係る発明の特許を取り消すべき理由を発見しない。
　よって、結論のとおり決定する。
【異議決定日】
平成１４年２月８日（２００２．２．８）
【訂正の要旨】
　特許第３１２７７９２号発明の明細書を、本件の平成１４年１月２５日付け訂正請求書に添付された訂正明細書のとおりに、すなわち特許請求の範囲の減縮を目的として下記（１）〜（７）のとおりに、明瞭でない記載の釈明を目的として下記（８）〜（２０）、（２２）のとおりに、また、誤記の訂正を目的として下記（２１）のとおりに訂正する。
（１）特許請求の範囲の請求項１を次のとおり訂正する。
「【請求項１】　積層される複数の誘電体層、前記複数の誘電体層を厚み方向に貫通するビアホールによって形成されるインダクタ、および前記複数の誘電体層間に形成されるコンデンサ電極間に形成されるコンデンサ、および前記複数の誘電体層間に形成されるグランド電極を含み、
前記インダクタは１つの直線状に形成されており、かつ、該インダクタは、前記コンデンサ電極および前記グランド電極の主面に直交する方向に設けられ、かつ、該インダクタは、前記グランド電極と直接接続され、
１つの直線状に形成された前記インダクタの両端に前記コンデンサが電気的に並列接続される、ＬＣ共振器。」
（２）特許請求の範囲の請求項２を次のとおり訂正する。
「【請求項２】　積層される複数の誘電体層、
前記複数の誘電体層を厚み方向に貫通するビアホールによって形成される複数のインダクタ、および前記複数の誘電体層間に形成されるコンデンサ電極間に形成される複数のコンデンサ、および前記複数の誘電体層間に形成されるグランド電極を含み、
前記複数のインダクタは前記コンデンサ電極および前記グランド電極の主面に直交する方向に設けられ、かつ、前記複数のインダクタは、前記グランド電極と直接接続され、
前記複数のインダクタおよび前記複数のコンデンサはそれぞれ電気的に並列接続され、前記複数のインダクタおよび前記複数のコンデンサによって複数のＬＣ共振器が構成され、該ＬＣ共振器を構成するインダクタは、直線状に形成された１つのインダクタによって構成されており、前記複数のＬＣ共振器の前記複数のインダクタが電磁結合される、ＬＣフィルタ。」
（３）特許請求の範囲の請求項４を次のとおり訂正する。
「【請求項４】　電気的に並列接続された前記インダクタおよび前記コンデンサは、前記複数の誘電体層の厚み方向において互いに異なった位置に形成される、請求項１に記載のＬＣ共振器または請求項２〜３のいずれかに記載のＬＣフィルタ。」
（４）特許請求の範囲の請求項７を削除する。
（５）特許請求の範囲の請求項８を削除する。
（６）特許請求の範囲の請求項９を次のとおり訂正する。
「【請求項７】　前記インダクタは直線状に形成され、前記インダクタの磁力線は前記インダクタの軸を周回する方向に発生し、その磁力線と平行に前記コンデンサ電極が配置される、請求項１に記載のＬＣ共振器または請求項２〜６のいずれかに記載のＬＣフィルタ。」
（７）特許請求の範囲の請求項１０を次のとおり訂正する。
「【請求項８】　前記インダクタは、内蔵されるすべての電極の主面に対して直交するように配置される、請求項１に記載のＬＣ共振器または請求項２〜７のいずれかに記載のＬＣフィルタ。」
（８）明細書中の【０００８】を次の通り訂正する。
「【０００８】
　【課題を解決するための手段】
　この発明にかかるＬＣ共振器は、積層される複数の誘電体層、複数の誘電体層を厚み方向に貫通するビアホールによって形成されるインダクタと、複数の誘電体層間に形成されるコンデンサ電極間に形成されるコンデンサと、複数の誘電体層間に形成されるグランド電極を含み、インダクタは１つの直線状に形成されており、かつ、インダクタは、コンデンサ電極およびグランド電極の主面に直交する方向に設けられ、かつ、インダクタは、グランド電極と直接接続され、１つの直線状に形成されたインダクタの両端にコンデンサが電気的に並列接続される、ＬＣ共振器である。また、発明にかかるＬＣフィルタは、積層される複数の誘電体層と、複数の誘電体層を厚み方向に貫通するビアホールによって形成される複数のインダクタと、複数の誘電体層間に形成されるコンデンサ電極間に形成される複数のコンデンサと、および複数の誘電体層間に形成されるグランド電極とを含み、複数のインダクタはコンデンサ電極およびグランド電極の主面に直交する方向に設けられ、かつ、複数のインダクタは、グランド電極と直接接続され、複数のインダクタおよび複数のコンデンサはそれぞれ電気的に並列接続され、複数のインダクタおよび複数のコンデンサによって複数のＬＣ共振器が構成され、ＬＣ共振器を構成するインダクタは、直線状に形成された１つのインダクタによって構成されており、複数のＬＣ共振器の複数のインダクタが電磁結合される、バンドパスフィルタなどのＬＣフィルタである。」
（９）明細書中の【０００９】を次の通り訂正する。
「【０００９】
　なお、この発明にかかるＬＣ共振器およびＬＣフィルタでは、電気的に並列接続されたインダクタおよびコンデンサは、複数の誘電体層の厚み方向において互いに異なった位置に形成されてもよい。また、この発明にかかるＬＣ共振器およびＬＣフィルタでは、コンデンサ電極は複数の誘電体層の厚み方向においてインダクタが形成される誘電体層の層間に形成されてもよい。さらに、この発明にかかるＬＣ共振器およびＬＣフィルタでは、複数の誘電体層間のうちの一番外側の層間にグランド電極が形成されてもよい。」
（１０）明細書中の【００１０】を次の通り訂正する。
「【００１０】
　さらに、この発明にかかるＬＣ共振器およびＬＣフィルタでは、たとえば、インダクタは直線状に形成され、インダクタの磁力線はインダクタの軸を周回する方向に発生し、その磁力線と平行にコンデンサ電極が配置される。また、この発明にかかるＬＣ共振器およびＬＣフィルタでは、たとえば、インダクタは、内蔵されるすべての電極の主面に対して直交するように配置される。」
（１１）明細書中の【００２８】を次の通り訂正する。
「【００２８】
　図２は第１の参考例を示す図解図であり、図３はその要部を示す図解図である。図２および図３に示す第１の参考例では、図１に示す発明の実施の形態と比べて、特に、各インダクタ素子が２つのビアホールによって形成される。」
（１２）明細書中の【００２９】を次の通り訂正する。
「【００２９】
　すなわち、図２および図３に示す第１の参考例では、図１に示す発明の実施の形態と比べて、４番目の誘電体層１４，１４間に、２つの共通電極１８ａ２および１８ｂ２がそれぞれ小さく形成され、１番上の誘電体層１４，１４間に、２つの接続電極２６ａおよび２６ｂが間隔を隔てて形成される。なお、これらの接続電極２６ａおよび２６ｂは、それぞれの一部分が誘電体層１４の端部にまで延びて形成される必要はなく、それぞれの端部が積層体１２の側面から露出されなくてもよい。また、共通電極１８ａ２および１８ｂ２と接続電極２６ａおよび２６ｂとの間において、複数の誘電体層１４，１４，・・には、それらを厚み方向に貫通する円柱状の２つのビアホール２２ａ１および２２ｂ１が形成される。さらに、グランド電極２０ａと接続電極２６ａおよび２６ｂとの間において、複数の誘電体層１４，１４，・・には、それらを厚み方向に貫通する円柱状の２つのビアホール２２ａ２および２２ｂ２が形成される。それらのビアホール２２ａ１，２２ｂ１，２２ａ２および２２ｂ２はインダクタ素子として働く。なお、ビアホール２２ａ２および２２ｂ２は、互いに電磁結合される。」
（１３）明細書中の【００３０】を次の通り訂正する。
「【００３０】
　また、図２および図３に示す第１の参考例では、図１に示す発明の実施の形態と同様に、入出力端子Ｔ１，Ｔ２、接続端子およびグランド端子Ｇとして用いられる多数の外部電極（図示せず）が積層体１２の側面に形成されるが、特に、グランド端子Ｇとして用いられる外部電極は、グランド電極２０ａのみに接続される。」
（１４）明細書中の【００３１】を次の通り訂正する。
「【００３１】
　さらに、図２および図３に示す第１の参考例では、図１に示す発明の実施の形態と同様に各コンデンサＣ１，Ｃ２，Ｃ３およびＣ４が形成されるが、接続電極２６ａで接続されたビアホール２２ａ１および２２ａ２で一方のＬＣ共振器Ｒ１のインダクタＬ１が形成され、接続電極２６ｂで接続されたビアホール２２ｂ１および２２ｂ２で他方のＬＣ共振器Ｒ２のインダクタＬ２が形成される。」
（１５）明細書中の【００３３】を次の通り訂正する。
「【００３３】
　図２および図３に示す第１の参考例でも、図１に示す発明の実施の形態と同様に、図８に示す従来例と比べて、インダクタの断面積が増えるため、Ｑが大きくなり、全体が大型にならない。」
（１６）明細書中の【００３４】を次の通り訂正する。
「【００３４】
　また、図２および図３に示す第１の参考例では、積層される複数の誘電体層を厚み方向に貫通する２つのビアホールによって１つのインダクタ素子が形成されているので、１つのインダクタ素子としての導体の長さが長くなる。そのため、導体の長さを少しくらい変えてもインダクタンス値があまり変わらなくなるので、インダクタンス値が調整しやすくなる。」
（１７）明細書中の【００３５】を次の通り訂正する。
「【００３５】
　図４は図２および図３に示す第１の参考例の変形例である第２の参考例の要部を示す図解図である。図４に示す第２の参考例では、図２および図３に示す第１の参考例と比べて、特に、４つのビアホール２２ａ１，２２ｂ１，２２ａ２および２２ｂ２が、２行２列に接近して形成される。さらに、ビアホール２２ａ１および２２ｂ１の一端が接続される共通電極１８ａ２および１８ｂ２は、ビアホール２２ａ１および２２ｂ１に対応した位置に形成される。したがって、図４に示す第２の参考例では、図２および図３に示す第１の参考例と比べて、インダクタＬ１およびＬ２の電磁結合の強度が大きくなる。」
（１８）明細書中の【００３６】を次の通り訂正する。
「【００３６】
　図５はこの発明の実施の形態の他の実施例を示す図解図である。図５に示すＬＣフィルタ１０も、多数のセラミック層からなる多数の誘電体層１４，１４，１４・・・などを積層することによって形成される直方体状の多層基板ないし積層体１２を含む。」
（１９）明細書中の【００４８】を次の通り訂正する。
「【００４８】
　図５に示す発明の実施の形態でも、図１に示す発明の実施の形態と同様に、図８に示す従来例と比べて、インダクタの断面積が増えるため、Ｑが大きくなり、全体が大型にならない。」
（２０）明細書中の【００５３】を次の通り訂正する。
「【００５３】
　また、上述の発明の実施の形態の各例では、１つのインダクタ素子が１つのビアホールに形成される。」
（２１）明細書中の【００５５】を次の通り訂正する。
「【００５５】
　なお、この発明は、２つのＬＣ共振器などを内蔵するＬＣフィルタ以外に、１つのインダクタ素子および１つのコンデンサを内蔵するＬＣ共振器にも適用され得る。」
（２２）【図面の簡単な説明】を次のとおり訂正する。
「【図面の簡単な説明】
　【図１】　この発明の実施の形態の一例を示す図解図である。
　【図２】　この発明の第１の参考例を示す図解図である。
　【図３】　図２に示す第１の参考例の要部を示す図解図である。
　【図４】　図２および図３に示す第１の参考例の変形例である第２の参考例の要部を示す図解図である。
　【図５】　この発明の実施の形態の他の実施例を示す図解図である。
　【図６】　図５に示す発明の実施の形態においてビアホールによって発生する磁力線とコンデンサ電極および共通電極などの電極との関係を示す図解図である。
　【図７】　この発明の背景となりかつこの発明が適用されるＬＣフィルタの一例を示す等価回路図である。
　【図８】　図７に示す等価回路を有する従来のＬＣフィルタの一例の要部を示す分解斜視図である。
　【図９】　図８に示すＬＣフィルタにおいてパターン電極によって発生する磁力線とコンデンサ電極との関係を示す図解図である。
　【符号の説明】
１０　ＬＣフィルタ
１２　積層体
１４　誘電体層
１６ａ，１６ｂ　コンデンサ電極
１８ａ１，１８ａ２，１８ａ３，１８ｂ１，１８ｂ２，１８ｂ３　共通電極
２０ａ，２０ｂ　グランド電極
２２ａ，２２ａ１，２２ａ２，２２ｂ，２２ｂ１，２２ｂ２　ビアホール
２６ａ，２６ｂ　接続電極
Ｒ１，Ｒ２　ＬＣ共振器
Ｌ１，Ｌ２　インダクタ
Ｃ１，Ｃ２，Ｃ３，Ｃ４　コンデンサ
Ｔ１，Ｔ２　入出力端子
Ｇ　アース端子」
（５４）【発明の名称】
ＬＣ共振器およびＬＣフィルタ
（５７）【特許請求の範囲】
　【請求項１】　積層される複数の誘電体層、前記複数の誘電体層を厚み方向に貫通するビアホールによって形成されるインダクタ、および前記複数の誘電体層間に形成されるコンデンサ電極間に形成されるコンデンサ
、および前記複数の誘電体層間に形成されるグランド電極
前記インダクタは
１つの直線状に形成されており、かつ、該インダクタは、
および前記グランド電極
かつ、該インダクタは、前記グランド電極と直接接続され、
１つの直線状に形成された
の両端に
が電気的に
　【請求項２】　積層される複数の誘電体層、
前記複数の誘電体層を厚み方向に貫通するビアホールによって形成される複数のインダクタ、および前記複数の誘電体層間に形成されるコンデンサ電極間に形成される複数のコンデンサ
、および前記複数の誘電体層間に形成されるグランド電極
前記
複数の
および前記グランド電極
かつ、前記複数のインダクタは、前記グランド電極と直接接続され、
前記複数のインダクタおよび前記複数のコンデンサはそれぞれ
電気的に
該ＬＣ共振器を構成するインダクタは、直線状に形成された１つのインダクタによって構成されており、
　【請求項３】　バンドパスフィルタである、請求項２に記載のＬＣフィルタ。
　【請求項４】　
電気的に並列接続された
　【請求項５】　前記コンデンサ電極は前記複数の誘電体層の厚み方向において前記インダクタが形成される前記誘電体層の層間に形成される、請求項１に記載のＬＣ共振器または請求項２〜３のいずれかに記載のＬＣフィルタ。
　【請求項６】　前記複数の誘電体層間のうちの一番外側の層間にグランド電極が形成される、請求項１に記載のＬＣ共振器または請求項２〜５のいずれかに記載のＬＣフィルタ。
　【請求項７】　前記インダクタは直線状に形成され、前記インダクタの磁力線は前記インダクタの軸を周回する方向に発生し、その磁力線と平行に前記コンデンサ電極が配置される、請求項１に記載のＬＣ共振器または請求項２〜
６
　【請求項８】　前記インダクタは、内蔵されるすべての電極の主面に対して直交するように配置される、請求項１に記載のＬＣ共振器または請求項２〜
７
【発明の詳細な説明】
　【０００１】
　【発明の属する技術分野】
　この発明はＬＣ共振器およびＬＣフィルタに関し、たとえば、携帯用無線機などに使用される、ＬＣ共振器およびＬＣフィルタに関する。
　【０００２】
　【従来の技術】
　図７はこの発明の背景となりかつこの発明が適用されるＬＣフィルタ（バンドパスフィルタ）の一例を示す等価回路図である。このＬＣフィルタは、２つのＬＣ共振器Ｒ１およびＲ２を含む。一方のＬＣ共振器Ｒ１は、並列接続されるインダクタＬ１およびコンデンサＣ１からなり、他方のＬＣ共振器Ｒ２は、並列接続されるインダクタＬ２およびコンデンサＣ２からなる。なお、インダクタＬ１およびＬ２は、互いに電磁結合される。また、一方のＬＣ共振器Ｒ１の一端は、コンデンサＣ３を介して、一方の入出力端子Ｔ１に接続され、他方のＬＣ共振器Ｒ２の一端は、コンデンサＣ４を介して、他方の入出力端子Ｔ２に接続される。さらに、ＬＣ共振器Ｒ１およびＲ２のそれぞれの他端は、グランド端子Ｇに接続される。
　【０００３】
　図８は図７に示す等価回路を有する従来のＬＣフィルタの一例の要部を示す分解斜視図である。図８に示す従来のＬＣフィルタ１は、積層される誘電体層２ａ，２ｂ，２ｃおよび２ｄを含む。誘電体層２ａの上面にはコンデンサ電極３ａなどが、誘電体層２ｂの上面には別のコンデンサ電極３ｂなどが、誘電体層２ｃの上面にはインダクタ素子として働く渦巻き状のパターン電極４などが、それぞれ導電体を厚膜印刷することによって形成される。そして、コンデンサ電極３ａおよび３ｂ間に一方のＬＣ共振器Ｒ１のコンデンサＣ１が形成され、パターン電極４でそのＬＣ共振器Ｒ１のインダクタＬ１が形成される。同様に、誘電体層２ｂを挟む他の２つのコンデンサ電極（図示せず）間に他方のＬＣ共振器Ｒ２のコンデンサＣ２が形成され、誘電体層２ｃの上面の他のパターン電極（図示せず）でそのＬＣ共振器Ｒ２のインダクタＬ２が形成される。なお、誘電体層２ａ〜２ｄの側面には、入出力端子Ｔ１，Ｔ２およびグランド端子Ｇになるそれぞれの外部電極（図示せず）が形成される。また、ＬＣ共振器Ｒ１，Ｒ２の一端と入出力端子Ｔ１，Ｔ２になる外部電極との間には、さらに他のコンデンサ電極（図示せず）などでコンデンサＣ３およびＣ４がそれぞれ形成される。さらに、ＬＣ共振器Ｒ１，Ｒ２の他端は、グランド端子Ｇになる外部電極に接続される。
　【０００４】
　【発明が解決しようとする課題】
　図８に示す従来のＬＣフィルタ１では、各コンデンサとして比較的理想に近いものが作られるため、全体のＱは内蔵されるインダクタのＱに大きく左右される。そのため、ＬＣフィルタ１のＱを上げるためには、インダクタ素子として働くパターン電極の断面積を大きくして、インダクタのＱを上げることが考えられる。パターン電極の断面積を大きくするためには、厚膜印刷で形成されるパターン電極の膜厚が１０数μｍ程度にしかならないため、パターン電極の幅を太くすることが考えられる。ところが、パターン電極の幅を太くすると、同一面積内で作られるパターン電極によるインダクタンス値が小さくなるとともに、上下に対向するコンデンサ電極などの電極との間に大きな浮遊容量が発生し、逆にＱが低下してしまうという問題がある。なお、このような問題は、インダクタ素子として働くパターン電極が厚膜印刷で形成される従来のＬＣ共振器にも存在する。
　【０００５】
　また、図８に示す従来のＬＣフィルタ１では、上下に配置されるパターン電極およびコンデンサ電極の間隔を広げると、全体のＱは上がるが、全体の厚みが増えて大型になり、厚み寸法に制限がある携帯用無線機などの小型機器の内部には実装することができなくなってしまうという問題がある。なお、このような問題は、インダクタ素子として働くパターン電極およびコンデンサ電極がそれぞれ厚膜印刷で形成される従来のＬＣ共振器にも存在する。
　【０００６】
　さらに、図８に示す従来のＬＣフィルタ１では、図９に示すように、パターン電極によって発生する磁力線がコンデンサ電極の主面にほぼ直交するので、その磁力線によってコンデンサ電極に発生する渦電流損が大きいとともに、全体のＱが低下するという問題がある。なお、このような問題は、インダクタ素子として働くパターン電極およびコンデンサ電極がそれぞれ厚膜印刷で形成される従来のＬＣ共振器にも存在する。
　【０００７】
　それゆえに、この発明の主たる目的は、小型でＱの高いＬＣ共振器およびＬＣフィルタを提供することである。
　【０００８】
　【課題を解決するための手段】
　この発明にかかるＬＣ共振器は、積層される複数の誘電体層、複数の誘電体層を厚み方向に貫通するビアホールによって形成されるインダクタと、複数の誘電体層間に形成されるコンデンサ電極間に形成されるコンデンサと
、複数の誘電体層間に形成されるグランド電極
１つの直線状に形成されており、かつ、インダクタは、
およびグランド電極
かつ、インダクタは、グランド電極と直接接続され、１つの直線状に形成された
の両端に
が電気的に
、および複数の誘電体層間に形成されるグランド電極と
複数の
およびグランド電極
かつ、複数のインダクタは、グランド電極と直接接続され、
電気的に
ＬＣ共振器を構成するインダクタは、直線状に形成された１つのインダクタによって構成されており、
　【０００９】
　なお、この発明にかかるＬＣ共振器およびＬＣフィルタでは、
電気的に並列接続された
　【００１０】
　
さ
　【００１１】
　【作用】
　この発明にかかるＬＣ共振器およびＬＣフィルタでは、積層される複数の誘電体層を厚み方向に貫通するビアホールによってインダクタが形成されるため、インダクタの断面積が増える。そのため、ＬＣ共振器およびＬＣフィルタのＱが高くなる。この場合、誘電体層の主面の面積や厚みを大きくしなくてよいので、ＬＣ共振器およびＬＣフィルタが大型にならない。
　【００１２】
　また、この発明にかかるＬＣ共振器およびＬＣフィルタでは、複数の誘電体層間にコンデンサ電極が形成されるため、コンデンサ電極の主面がビアホールによるインダクタによって発生する磁力線と平行になるので、その磁力線によってコンデンサ電極に発生する渦電流損が小さくなるとともに、Ｑが低下しにくくなる。
　【００１３】
　【発明の効果】
　この発明によれば、小型でＱの高いＬＣ共振器およびＬＣフィルタが得られる。
　【００１４】
　なお、この発明にかかるＬＣ共振器およびＬＣフィルタでは、積層される複数の誘電体層を厚み方向に貫通する複数のビアホールによってインダクタを形成すれば、インダクタとしての導体の長さが長くなり、導体の長さを少しくらい変えてもインダクタンス値があまり変わらなくなるので、インダクタンス値が調整しやすくなる。
　【００１５】
　この発明の上述の目的、その他の目的、特徴および利点は、図面を参照して行う以下の発明の実施の形態の詳細な説明から一層明らかとなろう。
　【００１６】
　【発明の実施の形態】
　図１はこの発明の実施の形態の一例を示す図解図である。図１に示すＬＣフィルタ１０は、直方体状の多層基板ないし積層体１２を含む。この積層体１２は、多数のセラミック層からなる多数の誘電体層１４，１４，１４，・・・などを積層することによって形成される。
　【００１７】
　１番下の誘電体層１４，１４間には、２つのコンデンサ電極１６ａおよび１６ｂが間隔を隔てて形成される。
　【００１８】
　下から２番目の誘電体層１４，１４間には、２つの共通電極１８ａ１および１８ｂ１が間隔を隔てて形成される。これらの共通電極１８ａ１および１８ｂ１は、誘電体層１４を隔てて、２つのコンデンサ電極１６ａおよび１６ｂにそれぞれ対向する。
　【００１９】
　下から３番目の誘電体層１４，１４間には、グランド電極２０ａが形成される。このグランド電極２０ａは、誘電体層１４を隔てて、２つの共通電極１８ａ１および１８ｂ１に対向する。
　【００２０】
　下から４番目の誘電体層１４，１４間には、２つの共通電極１８ａ２および１８ｂ２が間隔を隔てて形成される。これらの共通電極１８ａ２および１８ｂ２は、誘電体層１４を隔てて、グランド電極２０ａに対向する。
　【００２１】
　１番上の誘電体層１４，１４間には、グランド電極２０ｂが形成される。
　【００２２】
　また、共通電極１８ａ２および１８ｂ２とグランド電極２０ｂとの間において、複数の誘電体層１４，１４，・・には、それらを厚み方向に貫通する円柱状の２つのビアホール２２ａおよび２２ｂが形成される。これらのビアホール２２ａおよび２２ｂはインダクタ素子として働く。なお、ビアホール２２ａおよび２２ｂは、互いに電磁結合される。
　【００２３】
　なお、図示していないが、コンデンサ電極１６ａおよび１６ｂと、共通電極１８ａ１，１８ｂ１，１８ａ２および１８ｂ２と、グランド電極２０ａおよび２０ｂとは、それぞれの一部分が誘電体層１４の端部にまで延びて形成され、それぞれの端面が積層体１２の側面から露出している。
　【００２４】
　この積層体１２の側面には、多数の外部電極（図示せず）が形成される。多数の外部電極のうち２つの外部電極は、コンデンサ電極１６ａおよび１６ｂにそれぞれ接続され、入出力端子Ｔ１およびＴ２としてそれぞれ用いられる。また、他の外部電極は、共通電極１８ａ１および１８ａ２に接続され、さらに他の外部電極は、共通電極１８ｂ１および１８ｂ２に接続され、これらの外部電極は接続端子として用いられる。さらに、他の外部電極は、グランド電極２０ａおよび２０ｂに接続され、グランド端子Ｇとして用いられる。
　【００２５】
　そして、共通電極１８ａ１および１８ａ２とグランド電極２０ａとの間に一方のＬＣ共振器Ｒ１のコンデンサＣ１が形成され、ビアホール２２ａでそのＬＣ共振器Ｒ１のインダクタＬ１が形成される。また、共通電極１８ｂ１および１８ｂ２とグランド電極２０ａとの間に他方のＬＣ共振器Ｒ２のコンデンサＣ２が形成され、ビアホール２２ｂでそのＬＣ共振器Ｒ２のインダクタＬ２が形成される。なお、ビアホール２２ａおよび２２ｂは互いに電磁結合されるので、インダクタＬ１およびＬ２も電磁結合される。さらに、コンデンサ電極１６ａと共通電極１８ａ１との間にコンデンサＣ３が形成され、コンデンサ電極１６ｂと共通電極１８ｂ１との間にコンデンサＣ４が形成される。
　【００２６】
　したがって、図１に示すＬＣフィルタ１０は、図７に示す等価回路を有する。
　【００２７】
　図１に示すＬＣフィルタ１０では、積層される複数の誘電体層１４，１４，・・を厚み方向に貫通するビアホール２２ａおよび２２ｂがインダクタとして働くため、図８に示す従来例と比べて、インダクタの断面積が増える。そのため、このＬＣフィルタ１０では、図８に示す従来例と比べて、Ｑがたとえば２倍以上大きくなる。この場合、このＬＣフィルタ１０では、図８に示す従来例と比べて、セラミック層としての誘電体層の主面の面積や厚みを大きくしなくてよいので、大型にならない。
　【００２８】
　図２は
第１の参考
第１の参考例
　【００２９】
　すなわち、図２および図３に示す
第１の参考例
　【００３０】
　また、図２および図３に示す
第１の参考例
　【００３１】
　さらに、図２および図３に示す
第１の参考例
　【００３２】
　したがって、図２および図３に示すＬＣフィルタ１０も、図７に示す等価回路を有する。
　【００３３】
　図２および図３に示す
第１の参考例
　【００３４】
　また、図２および図３に示す
第１の参考例
　【００３５】
　図４は図２および図３に示す
第１の参考例
である第２の参考例
第２の参考例
第１の参考例
第２の参考例
第１の参考例
　【００３６】
　図５はこの発明の実施の形態の
他の実施例
　【００３７】
　１番下の誘電体層１４，１４間には、２つの共通電極１８ａ１および１８ｂ１が間隔を隔てて形成される。
　【００３８】
　下から２番目の誘電体層１４，１４間には、２つのコンデンサ電極１６ａおよび１６ｂが間隔を隔てて形成される。これらのコンデンサ電極１６ａおよび１６ｂは、誘電体層１４を隔てて、２つの共通電極１８ａ１および１８ｂ１にそれぞれ対向する。
　【００３９】
　下から３番目の誘電体層１４，１４間には、２つの共通電極１８ａ２および１８ｂ２が間隔を隔てて形成される。これらの共通電極１８ａ２および１８ｂ２は、誘電体層１４を隔てて、２つのコンデンサ電極１６ａおよび１６ｂにそれぞれ対向する。
　【００４０】
　下から４番目の誘電体層１４，１４間には、２つのグランド電極２０ａおよび２０ｂが間隔を隔てて形成される。これらのグランド電極２０ａおよび２０ｂは、誘電体層１４を隔てて、２つの共通電極１８ａ２および１８ｂ２にそれぞれ対向する。
　【００４１】
　下から５番目の誘電体層１４，１４間には、２つの共通電極１８ａ３および１８ｂ３が間隔を隔てて形成される。これらの共通電極１８ａ３および１８ｂ３は、誘電体層１４を隔てて、２つのグランド電極２０ａおよび２０ｂにそれぞれ対向する。
　【００４２】
　１番上の誘電体層１４，１４間には、グランド電極２０ｃが形成される。このグランド電極２０ｃは、誘電体層１４を隔てて、２つの共通電極１８ａ３および１８ｂ３に対向する。
　【００４３】
　また、共通電極１８ａ１および１８ｂ１とグランド電極２０ｃとの間において、複数の誘電体層１４，１４，・・には、それらを厚み方向に貫通する円柱状の２つのビアホール２２ａおよび２２ｂが形成される。これらのビアホール２２ａおよび２２ｂはインダクタ素子として働く。この場合、ビアホール２２ａおよび２２ｂの一端は、共通電極１８ａ１および１８ｂ１にそれぞれ接続される。また、ビアホール２２ａおよび２２ｂの他端は、グランド電極２０ｃに接続される。なお、ビアホール２２ａおよび２２ｂは、互いに電磁結合される。
　【００４４】
　なお、図示していないが、コンデンサ電極１６ａおよび１６ｂと、共通電極１８ａ１，１８ｂ１，１８ａ２，１８ｂ２，１８ａ３および１８ｂ３と、グランド電極２０ａ，２０ｂおよび２０ｃとは、それぞれの一部分が誘電体層１４の端部にまで延びて形成され、それぞれの端面が積層体１２の側面から露出している。
　【００４５】
　また、積層体１２の側面には、多数の外部電極（図示せず）が形成される。多数の外部電極のうち２つの外部電極は、コンデンサ電極１６ａおよび１６ｂにそれぞれ接続され、入出力端子Ｔ１およびＴ２としてそれぞれ用いられる。また、他の外部電極は、共通電極１８ａ１，１８ａ２および１８ａ３に接続され、さらに他の外部電極は、共通電極１８ｂ１，１８ｂ２および１８ｂ３に接続され、これらの外部電極は接続端子として用いられる。さらに、他の外部電極は、グランド電極２０ａ，２０ｂおよび２０ｃに接続され、グランド端子Ｇとして用いられる。
　【００４６】
　そして、共通電極１８ａ２および１８ａ３とグランド電極２０ａおよび２０ｃとの間に一方のＬＣ共振器Ｒ１のコンデンサＣ１が形成され、ビアホール２２ａでそのＬＣ共振器Ｒ１のインダクタＬ１が形成される。また、共通電極１８ｂ２および１８ｂ３とグランド電極２０ｂおよび２０ｃとの間に他方のＬＣ共振器Ｒ２のコンデンサＣ２が形成され、ビアホール２２ｂでそのＬＣ共振器Ｒ２のインダクタＬ２が形成される。なお、ビアホール２２ａおよび２２ｂは互いに電磁結合される。さらに、コンデンサ電極１６ａと共通電極１８ａ１および１８ａ２との間にコンデンサＣ３が形成され、コンデンサ電極１６ｂと共通電極１８ｂ１および１８ｂ２との間にコンデンサＣ４が形成される。
　【００４７】
　したがって、図５に示すＬＣフィルタ１０も、図７に示す等価回路を有する。
　【００４８】
　図５に示す発明の実施の形態でも、図
１に
　【００４９】
　また、図５に示す発明の実施の形態では、図６に示すように、コンデンサ電極や共通電極などの電極の主面がビアホールによって発生する磁力線と平行になるので、その磁力線によってコンデンサ電極や共通電極に発生する渦電流損が小さくなるとともに、Ｑが低下しにくくなる。
　【００５０】
　なお、上述の発明の実施の形態の各例では、セラミック層として誘電体層が用いられているが、この発明では、セラミック層として絶縁体層や磁性体層が用いられてもよい。
　【００５１】
　また、上述の発明の実施の形態の各例では、セラミック層としての誘電体層が１枚のセラミックグリーンシートで形成されるが、この発明では、セラミック層を形成するセラミックグリーンシートの枚数や厚みは任意に変更されてもよい。
　【００５２】
　さらに、上述の発明の実施の形態の各例では、ビアホールが円柱状に形成されているが、この発明では、ビアホールはたとえば４角柱状などの他の形状に形成されてもよい。
　【００５３】
　また、上述の発明の実施の形態の各例では、１つのインダクタ素子が１つのビアホールに形成され
る
　【００５４】
　また、上述の発明の実施の形態の各例ではコンデンサ電極や共通電極を形成するためにセラミックグリーンシートに導体ペーストが厚膜印刷されるが、これ以外の公知の手段でコンデンサ電極や共通電極が形成されてもよい。
　【００５５】
　なお、この発明は、２つのＬＣ共振器などを内蔵するＬＣフィルタ以外に、１つのインダク
タ素
【図面の簡単な説明】
　【図１】　この発明の実施の形態の一例を示す図解図である。
　【図２】　この発明の
第１の参考
　【図３】　図２に示す
第１の参考例
　【図４】　図２および図３に示す
第１の参考例
である第２の参考例
　【図５】　この発明の実施の形態の
他の実施
　【図６】　図５に示す発明の実施の形態においてビアホールによって発生する磁力線とコンデンサ電極および共通電極などの電極との関係を示す図解図である。
　【図７】　この発明の背景となりかつこの発明が適用されるＬＣフィルタの一例を示す等価回路図である。
　【図８】　図７に示す等価回路を有する従来のＬＣフィルタの一例の要部を示す分解斜視図である。
　【図９】　図８に示すＬＣフィルタにおいてパターン電極によって発生する磁力線とコンデンサ電極との関係を示す図解図である。
　【符号の説明】
　１０　ＬＣフィルタ
　１２　積層体
　１４　誘電体層
　１６ａ，１６ｂ　コンデンサ電極
　１８ａ１，１８ａ２，１８ａ３，１８ｂ１，１８ｂ２，１８ｂ３　共通電極
　２０ａ，２０ｂ　グランド電極
　２２ａ，２２ａ１，２２ａ２，２２ｂ，２２ｂ１，２２ｂ２　ビアホール
　２６ａ，２６ｂ　接続電極
　Ｒ１，Ｒ２　ＬＣ共振器
　Ｌ１，Ｌ２　インダクタ
　Ｃ１，Ｃ２，Ｃ３，Ｃ４　コンデンサ
　Ｔ１，Ｔ２　入出力端子
　Ｇ　アース端子